(57)【要約】【課題】日常の生活の中で、わずらわしい操作なしに衣類の重量の影響を受けない正確な体重を計測することを可能とする。【解決手段】便座１にかかる重量を検出する重量検出手段３ａ〜ｄは衣類５ａ、５ｂの重量を含んだ使用者の重量を検出する。一方、衣類情報読取手段７は使用者の衣類から発信される衣類情報を読み取り、衣類重量特定手段８が衣類の重量を特定する。そして演算手段９が、重量検出手段が検出した衣類の重量を含んだ使用者の重量から衣類重量特定手段８が特定した衣類の重量を減算するので、使用者の体重だけが算出できる。したがって使用者は衣類の重量を測定したりその重量を入力したりするわずらわしい操作をすることなく、トイレ装置で簡単に正確な体重を計測することが可能になる。【選択図】図１
2006158954.tif 000002
【特許請求の範囲】
【請求項１】
便座にかかる重量を検出する重量検出手段と、使用者の衣類から発信される衣類情報を読取る衣類情報読取手段と、前記衣類情報読取手段の読取った衣類情報から前記衣類の重量を特定する衣類重量特定手段と、前記重量検出手段の検出した便座にかかる重量から前記衣類重量特定手段で特定した前記衣類の重量を減算し使用者の体重を算出する演算手段を有するトイレ装置。
【請求項２】
衣類は衣類の情報を記録した非接触ＩＣタグを備え、前記衣類情報読取手段は前記非接触ＩＣタグの情報を読取る請求項１記載のトイレ装置。
【請求項３】
前記演算手段により算出された体重を表示する体重表示器と、前記衣類重量特定手段で特定した衣類の重量を表示する衣類重量表示器、または前記重量検出手段が検出した便座にかかる重量を表示する総重量表示器を更に有する請求項１記載のトイレ装置。
【請求項４】
前記体重表示器と前記衣類重量表示器または前記総重量表示器は、前記衣類重量特定手段が衣類の重量を特定すると表示を開始する請求項３記載のトイレ装置。
【請求項５】
衣類から発信される衣類情報には前記衣類の重量情報を含み、前記衣類重量特定手段は前記衣類情報読取手段が読取った衣類情報の中から重量情報を抽出する請求項１記載のトイレ装置。
【請求項６】
前記衣類重量特定手段はネットワーク通信手段を有し、前記ネットワーク通信手段を介して衣類情報を発信し、前記衣類情報とその重量情報を関連付けて記憶した衣類情報サーバから前記重量情報を受信して衣類の重量を特定する請求項１記載のトイレ装置。
【請求項７】
前記衣類情報読取手段が読取った衣類情報から使用者を特定する使用者特定手段と、前記使用者特定手段で特定した使用者と前記演算手段で算出した体重とを関連付けて記憶する記憶手段を更に有する請求項１記載のトイレ装置。
【請求項８】
請求項７記載のトイレ装置と、前記トイレ装置と通信する情報管理サーバとを有し、前記情報管理サーバは前記トイレ装置が備える代わりに前記使用者特定手段と前記記憶手段の少なくとも一方を有して使用者または体重の情報を共有するトイレシステム。
【請求項９】
請求項１記載のトイレ装置または請求項８記載のトイレシステムの少なくとも一部をコンピュータに実行させるためのプログラム。
【発明の詳細な説明】
【技術分野】
【０００１】
本発明はトイレ装置およびトイレシステムに関するものであり、特に体重測定機能を有するトイレ装置およびトイレシステムおよびそのプログラムにおいて衣類の重量の影響を受けず正確に使用者の体重を測定する技術に関するものである。
【背景技術】
【０００２】
従来より健康管理のために日々体重を計測して管理することの大切さは知られていて、そのための体重計は広く普及している。そして体重計測は衣類の重量の影響を受けないようにするためには裸になって計測することで正確な体重計測が可能となり、一般には入浴の前や後など裸になる機会に計測することが多い。しかし家庭では風呂の脱衣場所はあまり広くなく、洗面所を兼ねる場合が多く、体重計を常時置いておくと邪魔になる場合が多い。そのために体重計の小型化や薄型化などの工夫がされているものの、棚などに収納されている場合が多い。そうするとどうしてもわざわざ体重計を取り出すのが面倒なため毎日体重計測する習慣がなかなかできない。
【０００３】
これらの課題を解決して、日常的に無意識のうちに体重計測することを目的として、トイレ装置に体重計測機能を設けた構成が提案されている。この構成であれば、体重計が邪魔になることがなく、わざわざ計測するということでなく、日常的な排尿、排便の際に体重計測できて、体重計測を無意識のうちに生活習慣にしてしまうことができるというものである(例えば特許文献１)。
【特許文献１】特開２０００−８３８６６号公報
【発明の開示】
【発明が解決しようとする課題】
【０００４】
しかしながら、特許文献１に示されている方法は、衣類の重量の影響を受けて正確に体重計測できないという課題がある。即ち風呂の脱衣場所であれば衣類を脱いで裸になるので、その際に体重を測定すれば衣類の重量の影響を受けずに正確な体重を測定することができるが、一般にトイレ装置のある便所で裸になることはない。そのために衣類の重量が加算された体重を計測することしかできない。
【０００５】
特許文献１によれば、その影響を少なくするために、衣類の重量を手入力する方法も開示されているが、そのためには衣類の重量を別に計測する必要がある。しかも日々違う衣類を着用することが多く、そのためには毎日衣類の重量を測定して入力する必要が生じる使い勝手のわずらわしい操作が必要になる。
【０００６】
本発明は前記従来の課題を解決するもので、使用者はごく自然に排便、排尿の行為を行なうだけで、わずらわしい操作なしに、衣類の重量の影響を受けない正確な体重を計測することを可能とすることを目的とする。
【課題を解決するための手段】
【０００７】
前記従来の課題を解決するために、本発明のトイレ装置およびトイレシステムおよびそのプログラムは、便座にかかる重量を検出する重量検出手段と、使用者の衣類から発信される衣類情報を読取る衣類情報読取手段と、前記衣類情報読取手段の読取った衣類情報から前記衣類の重量を特定する衣類重量特定手段と、前記重量検出手段の検出した便座にかかる重量から前記衣類重量特定手段で特定した前記衣類の重量を減算し使用者の体重を算出する演算手段を有する構成としたものである。
【０００８】
これによって、便座にかかる重量を検出する重量検出手段は衣類の重量を含んだ使用者の重量を検出する。一方、衣類情報読取手段は使用者の衣類から発信される衣類情報を読取り、衣類重量特定手段が衣類情報より衣類の重量を特定する。そして演算手段が、重量検出手段が検出した衣類の重量を含んだ使用者の重量から衣類重量特定手段が特定した衣類の重量を減算するので、使用者の体重だけが算出できる。したがって使用者は衣類の重量を測定したりその重量を入力したりするわずらわしい操作をすることなく、トイレ装置で簡単に正確な体重を計測することが可能になる。
【発明の効果】
【０００９】
本発明のトイレ装置およびトイレシステムおよびそのプログラムは、便座にかかる重量を検出する重量検出手段により衣類の重量を含んだ使用者の重量を検出し、衣類情報読取手段は使用者の衣類から発信される衣類情報を読取り、衣類重量特定手段が衣類情報より衣類の重量を特定し、演算手段により、重量検出手段が検出した衣類の重量を含んだ使用者の重量から衣類重量特定手段が特定した衣類の重量を減算するので、使用者の体重だけが算出できる。したがって使用者は衣類の重量を測定したりその重量を入力したりするわずらわしい操作をすることなく、トイレ装置で簡単に正確な体重を計測することが可能になり、排尿や排便のような日常の自然な生活習慣の中で体重を計測できるので、毎日の体重計測結果に基づいた健康管理ができるようになる。
【発明を実施するための最良の形態】
【００１０】
第１の発明は、便座にかかる重量を検出する重量検出手段と、使用者の衣類から発信される衣類情報を読取る衣類情報読取手段と、前記衣類情報読取手段の読取った衣類情報から前記衣類の重量を特定する衣類重量特定手段と、前記重量検出手段の検出した便座にかかる重量から前記衣類重量特定手段で特定した前記衣類の重量を減算し使用者の体重を算出する演算手段を有する構成としたものである。
【００１１】
これによって、便座にかかる重量を検出する重量検出手段により衣類の重量を含んだ使用者の重量を検出する。一方、衣類情報読取手段は使用者の衣類から発信される衣類情報を読取り、衣類重量特定手段が衣類情報より衣類の重量を特定する。そして演算手段が、重量検出手段が検出した衣類の重量を含んだ使用者の重量から衣類重量特定手段が特定した衣類の重量を減算するので、使用者の体重だけが算出できる。したがって使用者は衣類の重量を測定したりその重量を入力したりするわずらわしい操作をすることなく、トイレ装置で簡単に正確な体重を計測することが可能になる。
【００１２】
第２の発明は、特に、第１の発明の衣類を、衣類の情報を記録した非接触ＩＣタグを備え、衣類情報読取手段は前記非接触ＩＣタグの情報を読取る構成とすることにより、衣類の情報を読取ることが可能となり、読取った衣類情報から正確な衣類の重量を認識できる。
【００１３】
第３の発明は、特に、第１の発明に、更に演算手段により算出された体重を表示する体重表示器と、衣類重量特定手段で特定した衣類の重量を表示する衣類重量表示器、または重量検出手段が検出した便座にかかる重量を表示する総重量表示器を有する構成とすることにより、使用者に体重が算出された根拠を知らせることができ、使用者に信用を与えることができる。
【００１４】
第４の発明は、特に、第３の発明の体重表示器と衣類重量表示器または総重量表示器は、衣類重量特定手段が衣類の重量を特定すると表示を開始する構成とすることにより、非使用時には表示をせずに必要なときに表示して消費電力を節約することができる。
【００１５】
第５の発明は、特に、第１の発明の衣類から発信される衣類情報には衣類の重量情報を
含み、衣類重量特定手段は衣類情報読取手段が読取った衣類情報の中から重量情報を抽出する構成とすることにより、簡易な構成で読取った衣類情報から正確な衣類の重量を認識できる。
【００１６】
第６の発明は、特に第１の発明の衣類重量特定手段はネットワーク通信手段を有し、前記ネットワーク通信手段を介して衣類情報を発信し、前記衣類情報とその重量情報を関連付けて記憶した衣類情報サーバから前記重量情報を受信して衣類の重量を特定する構成とすることにより、衣類から発信する衣類情報を最小限に少なくして正確な衣類の重量を認識できる。
【００１７】
第７の発明は、特に、第１の発明に、更に衣類情報読取手段が読取った衣類情報から使用者を特定する使用者特定手段と、前記使用者特定手段で特定した使用者と前記演算手段で算出した体重を関連付けて記憶する記憶手段を有する構成とすることにより、使用者ごとに体重の履歴を記録でき、体重の絶対値だけでなく増減傾向なども管理できるので、健康管理に効果を発揮することができる。
【００１８】
第８の発明のトイレシステムは、特に、第７の発明のトイレ装置と、前記トイレ装置と通信する情報管理サーバとを有し、前記情報管理サーバは前記トイレ装置が備える代わりに前記使用者特定手段と前記記憶手段の少なくとも一方を有して使用者または体重の情報を共有する構成とすることにより、使用者ごとに体重の履歴を記録でき、体重の絶対値だけでなく増減傾向なども管理できるので、健康管理に効果を発揮することができる。
【００１９】
第９の発明は、第１の発明に記載のトイレ装置または第８の発明に記載のトイレシステムの少なくとも一部をコンピュータに実行させるためのプログラムであるので、電気・情報機器、コンピュータ等のハードリソースを協働させて本発明のトイレ装置またはトイレシステムの少なくとも一部を容易に実現することができる。また記録媒体に記録したり通信回線を用いてプログラムを配信したりすることでプログラムの配布・更新やそのインストール作業が簡単にできる。
【００２０】
以下、本発明の実施の形態について、図面を参照しながら説明する。なお、この実施の形態によって本発明が限定されるものではない。
【００２１】
（実施の形態１）
図１は本発明の第１の実施の形態を説明する構成図である。便座１は使用者の体重を支えるために４箇所に足２ａ〜２ｄを備えている。それぞれの足２ａ〜２ｄには重量検出手段としてストレンゲージ３ａ〜３ｄを取り付けている。ストレンゲージ３ａ〜３ｄはそれぞれの足２ａ〜２ｄにかかる圧力（重量）を電圧に変換するセンサである。４は重量算出器であり、ストレンゲージ３ａ〜３ｄで出力された電圧を増幅する増幅器やＣＰＵなどの演算器を備えていて、ストレンゲージ３ａ〜３ｄで検出された重量を全て足し合わせ、また予め知られている便座１の重量を減算して便座１にかかる重量として算出するものである。
【００２２】
５ａ、５ｂは衣類であり、それぞれは非接触ＩＣタグ６ａ、６ｂを縫い付けていて、非接触ＩＣタグ６ａ、６ｂには衣類５ａ、５ｂの情報が記録されていて、少なくとも衣類５ａ、５ｂの重量の情報が登録されている。また７は衣類情報読取手段の非接触ＩＣタグリーダである。非接触ＩＣタグ６ａ、６ｂは電池を内蔵しないが、非接触ＩＣタグリーダ７が発生させる電磁波領域内に入ると電磁波により励起され、非接触ＩＣタグ６ａや６ｂに電源が供給される。非接触ＩＣタグリーダ７が発生する電磁波にはコマンドが含まれているので、そのコマンドを非接触ＩＣタグ６ａや６ｂが受け取ると、衣類５ａや５ｂの衣類情報を含むデータを非接触ＩＣタグリーダ７に返答するというものである。
【００２３】
８は衣類重量特定手段であり、例えばＣＰＵなどで構成しているものであり、このＣＰＵは重量算出器４のＣＰＵと共通のものであってよい。衣類重量特定手段８は非接触ＩＣタグリーダ７で読取った衣類情報の中から衣類の重量情報を抽出するものである。
【００２４】
衣類の情報とは例えば、衣類の重量のほか、男性用・女性用の区別、サイズ、素材、色、メーカーや製造日などの情報があり、例えば計１２８ビットの情報としてそれが非接触ＩＣタグ６ａや６ｂに登録され、非接触ＩＣタグリーダ７でそれらの情報を読取り、衣類重量特定手段８でこのうち衣類重量情報を抽出するのである。衣類重量は例えば１０ｇ単位で０から１０ｋｇまでを１０ビットで表している。
【００２５】
また９は演算手段であり、例えばＣＰＵなどを含む構成で、このＣＰＵは重量算出器４や衣類重量特定手段８のＣＰＵと共通のものであってよい。演算手段９では重量算出器４で算出された便座１にかかる重量から衣類重量特定手段８で特定した各衣類５ａや５ｂの重量を減算する演算を行なうものである。この演算を行なうことで、便座１にかかる重量、即ち使用者の体重と衣類の重量の合算した重量から、衣類５ａや５ｂの重量を減算できるので、使用者の体重のみを導き出すことができる。
【００２６】
１０は表示手段である。表示手段１０は総重量を表示する総重量表示器１０ａと、衣類の重量を表示する衣類重量表示器１０ｂと、体重を表示する体重表示器１０ｃを有するもので、液晶表示器や、７セグメントのＬＥＤなどにより構成している。表示手段１０は演算手段９から演算結果の体重の他、演算に使った便座１にかかる重量や、衣類５ａや５ｂの重量を受け取り、便座１にかかる重量を総重量表示器１０ａに表示し、５ａや５ｂなど衣類の重量の和を衣類重量表示器１０ｂに表示し、それらより演算した結果の体重を体重表示器１０ｃに表示するものである。このように演算結果の体重だけでなく、その演算の根拠となった総重量や衣類重量を表示することで、使用者の信用を確保できる。また万一、正しく測定できず、体重が異常値となった場合、便座１にかかる重量の検出が異常なのか、衣類の情報を読み込み特定した重量が異常なのかを区別することもできる。
【００２７】
次に図２により、非接触ＩＣタグ６ａや６ｂの例を示す。非接触ＩＣタグ６は例えば図２に示すようにプラスチック等の基材１１にコイルパターン１２を形成し、コイルと容量素子とにより共振回路を形成して一定周波数の電波を受信して送信することができる。図２の場合、コイルパターン１２は導通部材１３により基材１０の裏面でジャンピング回路を形成してコイル接続端子１４によりＩＣチップ１５の裏面のバンプに接続している。ＩＣチップ１５は容量素子を内蔵している。このような非接触ＩＣタグ６はプラスチック基材に銅箔等の金属箔を設けて、金属箔をパターンエッチングして形成することが多い。非接触ＩＣタグリーダ７との交信には一般には１３５ｋＨｚ、１３．５６ＭＨｚ、２．４５ＧＨｚの周波数帯を使用する。
【００２８】
次に図３のフローチャートにより本実施形態の動作の流れを説明する。最初にステップＳ１において非接触ＩＣタグリーダ７が何らかの衣類情報を非接触ＩＣタグ６から受け取るかどうかを監視する。即ち、非接触ＩＣタグ６を含む衣類５を着用した使用者が近づいてくると衣類情報を受け取ることができ、衣類情報を受け取らなければ使用者が近くにいないことになるので、使用者が近づいたかどうかを判定することができる。使用者が近づいて非接触ＩＣタグから衣類情報の読取りがあればステップＳ２に進む一方、読取がなければ、ステップＳ１を繰り返し、使用者が近づくことを待つ。
【００２９】
ステップＳ２においては、衣類の重量総和を表す変数Ｗａを０に初期化し、また衣類の枚数を表すカウンタｉを１に初期化してステップＳ３に進む。ステップＳ３においては、非接触ＩＣタグリーダ７は各非接触ＩＣタグから衣類情報を読取り、また衣類重量特定手
段８がその衣類情報から重量情報を抽出して衣類重量Ｗａｉを特定し、ステップＳ４に進む。ステップＳ４では特定したＷａｉを重量総和Ｗａに加算するとともに、カウンタｉをカウントして、ステップＳ５に進む。ステップＳ５においては、他に衣類情報を送信する非接触ＩＣタグがあるかどうかを調べ、なければステップＳ６に進む一方、あればステップＳ３からＳ５を繰り返す。
【００３０】
ステップＳ５で他に衣類情報を送信している非接触ＩＣタグがあるかどうかを調べる方法については、一般的な衝突防止方法で調べることが可能であり、即ち非接触ＩＣタグリーダ７側から可能性のあるビットの組み合わせを順番に送信し、それに合致する非接触ＩＣタグ６がその送信に反応して衣類情報を返信するという方法である。また全く同じ衣類情報を発信する衣類を複数着用するようなことがないように区別のつく情報（例えば識別符号ＩＤなど）を予め非接触ＩＣタグに持たせておけばよい。
【００３１】
次にステップＳ６においては、便座にかかる重量の総和を表す変数Ｗｂを０に初期化して、ステップＳ７に進む。ステップＳ７からＳ９は繰り返す処理であり、繰り返し回数はカウンタｉで４回カウントするまで処理を繰り返す。ステップＳ８ではストレンゲージ３により重量Ｗｂｉを検出する。そしてステップＳ９では便座の重量総和Ｗｂに検出した重量Ｗｂｉを加算する。この処理を４回繰り返すと、４箇所のストレンゲージ３の検出する重量の和がＷｂに足しあわされることとなり、Ｗｂは便座にかかる総重量となる。そしてステップＳ１０に進む。
【００３２】
なお、ステップＳ７でカウンタｉを４回カウントとしたが、これはストレンゲージの個数に応じて異なる。
【００３３】
ステップＳ１０においては、便座１にかかる重量総和Ｗｂから衣類の重量総和Ｗａと予め定めた既知の定数である便座１の重量Ｗｃを減算することで、使用者の体重Ｗを演算する。そしてステップＳ１１では体重Ｗを体重表示器１０ｃに表示し、衣類の重量総和Ｗａを衣類重量表示器１０ｂに表示し、総重量Ｗｂを総重量表示器１０ａに表示する。
【００３４】
ステップＳ１２では、再度、非接触ＩＣタグリーダー７が何らかの衣類情報を読取れるかを調べる。読取れるようであれば、非接触ＩＣタグ６を含む衣類５が近くにある、即ち使用者が便座１を使用中ということで、ステップＳ６に戻り、上記処理を繰り返す。読取れなければ、非接触ＩＣタグ６を含む衣類が近くにない、即ち便座１は使用されていないと判断してステップＳ１３に進む。ステップＳ１３では各表示器の表示を消灯して処理を終了する。
【００３５】
本実施の形態において、図３のフローチャートでは、非接触ＩＣタグリーダが衣類情報を読取れなくなったところで、表示を消灯すると説明したが、これは省エネルギー効果のために最も電力消費の大きい表示を消すこととしたが、他にも重量検出のために使っている電源を停止するなどして、更に電力消費を抑制することができる。
【００３６】
なお、重量検出手段としてストレンゲージを用いて説明したが本発明はこれに限定されるものでなく、重量を検出できれば他の手段であっても良い。
【００３７】
また、本実施の形態では表示手段として、総重量表示器１０ａ、衣類重量表示器１０ｂ、体重表示器１０ｃを備えているが、これを全て備える必要はなく、例えば、体重表示器１０ｃと衣類重量表示器１０ｂ、体重表示器１０ｃと総重量表示器１０ａの組み合わせで備えても良い。
【００３８】
（実施の形態２）
図４は本発明の第２の実施の形態を説明する構成図である。第１の実施の形態と同一機能を有する構成要素については同一符号を付し、説明を省略する。
【００３９】
衣類重量特定手段８は、ネットワーク通信手段１６を含んでいる。ネットワーク通信手段１６は通信をするためのプログラムを備えたＣＰＵと電気回路などにより構成したものである。１７はネットワーク、１８は衣類情報サーバであり、衣類重量特定手段８はネットワーク１７を介して衣類情報サーバ１８とつながっている。また衣類情報サーバ１８はネットワーク１７を介して多くの衣類重量特定手段８がつながっていて、それぞれの衣類重量特定手段８と情報の送受信をしている。
【００４０】
非接触ＩＣタグ６には衣類を特定するコードが記録されている。一方、衣類情報サーバ１８にはコードに対応する衣類の情報が記録されている。衣類の情報とは例えば、衣類の重量のほか、男性用・女性用の区別、サイズ、素材、色、メーカーや製造日などの情報が登録されている。ここで、衣類重量特定手段８は非接触ＩＣタグリーダ７により読み取った衣類のコードをネットワーク１７を介して衣類情報サーバ１８に送信する。それに対して衣類情報サーバ１８は受信した衣類のコードに対応する重量情報を、ネットワークを介して衣類重量特定手段８に送信する。衣類重量特定手段８はその情報を受信することで、衣類の重量を特定できる。
【００４１】
この実施の形態にすることで、非接触ＩＣタグに記録すべき情報は衣類コードのような最小限でよく、それに対応する多くの情報を衣類情報サーバに登録しておくことができ、豊富な機能展開が可能となる。
【００４２】
（実施の形態３）
図５は本発明の第３の実施の形態を説明する構成図である。第１または第２の実施の形態と同一機能を有する構成要素については同一符号を付し、説明を省略する。
【００４３】
１９は使用者特定手段である。家庭など、同じ便器を繰り返し使う複数の人がいる場合に、一般に同じ人は同じ衣類を繰り返し着用するものであって、また他の人の衣類を着用することはない。したがって衣類から人を特定することができる。
【００４４】
また下着から上着まで上半身と下半身に衣類を着用するもので、普通は同時に複数の衣類を着用する。したがって例えば初めて着る上着ではあるが下着は以前に着たことがあるなど、複数の衣類のどれかで過去と関連付けできる場合が多い。使用者特定手段１９は非接触ＩＣタグリーダ７から衣類情報を読み取ることで、その便座を使用している人を特定する。
【００４５】
特定の方法は、最初は例えば複数の衣類に付いている１２８ビットの情報を衣類のＩＤとして非接触ＩＣタグリーダ７で読取ると、複数のＩＤそれぞれと関連付けるグループコードを割当て、そのグループコードと体重を関連付けて登録する。次からは衣類のＩＤを読取るとそれが関連付けられているグループコードを検索し、そのグループコードに次の体重を登録するとともに、そのグループコードと関連づいている衣類のＩＤにはない新しい衣類のＩＤを読取っていれば、そのＩＤもグループコードと関連付けるという処理を行う。こうすることでグループコードを検索することが使用者を特定することになる。
【００４６】
ネットワーク通信手段１６は使用者特定手段１９で特定した人の情報と、演算手段９で算出したその人の体重情報をセットにして、ネットワーク１７を介して情報管理サーバ２０に送信する。情報管理サーバ２０は、人と体重と更に時刻情報をセットにして、その履歴を記録し管理するサーバである。
【００４７】
情報管理サーバ２０は、特定された人の体重情報を受信すると受信時刻を合わせて記録するとともに、特定された人の過去の記録をすべて、受信した時刻と体重の情報をセットにして、ネットワーク１７を介してネットワーク通信手段１６に送信する。ネットワーク通信手段１６は受信した記録をすべて表示手段１０に送る。表示手段１０では体重表示器１０ｃに演算手段９で演算した今回の体重を表示し、体重履歴表示器１０ｄに過去からの体重履歴を表示する。体重履歴表示器１０ｄは図５に示すように例えばグラフ表示するなど、増加や減少の傾向をわかりやすくすればよい。
【００４８】
本実施の形態の説明においては、ネットワーク１７を介して備えた情報管理サーバ２０に使用者の体重を記録するものとしたが、トイレ装置に十分な容量のメモリ（記憶手段）があれば、そのメモリに記録しておいても良い。また使用者特定手段１９で使用者を特定するために過去の衣類情報の履歴を用いたが、この衣類情報の履歴も情報管理サーバ２０に記録するようにしてもよい。情報管理サーバ２０とトイレ装置のどちらに多く記録させるかは、トイレ装置のメモリ容量の大きさに応じて適宜設計すればよいことである。
【００４９】
また、実施の形態２の衣類情報サーバ１８を情報管理サーバ２０の一部に含める構成としてもよい。
【００５０】
なお、本実施の形態１〜３で説明した演算手段や重量算出器、衣料重量特定手段、使用者特定手段等は、ＣＰＵ（またはマイコン）、ＲＡＭ、ＲＯＭ、記憶・記録装置、Ｉ／Ｏなどを備えた電気・情報機器、コンピュータ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５１】
以上のように、本発明にかかるトイレ装置およびトイレシステムおよびそのプログラムは、使用者が日常的に使用するトイレ装置で衣類の重量の影響なく正確に体重を測定できるので、毎日の体重を測定して記録し、それを基に生活指導などを行なうような健康管理機器にも応用可能である。
【図面の簡単な説明】
【００５２】
【図１】本発明の実施の形態１におけるトイレ装置およびトイレシステムの構成の説明図
【図２】同実施の形態におけるトイレ装置の非接触ＩＣタグの説明図
【図３】同実施の形態におけるトイレ装置の動作の流れを説明するフローチャート
【図４】本発明の実施の形態２におけるトイレ装置およびトイレシステムの構成の説明図
【図５】本発明の実施の形態３におけるトイレ装置およびトイレシステムの構成の説明図
【符号の説明】
【００５３】
１  便座
３ａ〜３ｄ  重量検出手段
４  重量算出器
６ａ〜６ｂ  非接触ＩＣタグ
７  衣類情報読取手段
８  衣類重量特定手段
９  演算手段
１０ａ  総重量表示器
１０ｂ  衣類重量表示器
１０ｃ  体重表示器
１０ｄ  体重履歴表示器
１６  ネットワーク通信手段
１７  ネットワーク
１９  使用者特定手段
１８  衣料情報サーバ
２０  情報管理サーバ
【図１】
2006158954.tif 000003
【図２】
2006158954.tif 000004
【図３】
2006158954.tif 000005
【図４】
2006158954.tif 000006
【図５】
2006158954.tif 000007